(57)【要約】【課題】回転寿司店の来店客が  くじを楽しめるようにする。【解決手段】寿司３が載置された寿司皿１は、回転寿司店の寿司搬送コンベヤ（不図示）によって客席まで搬送される。この寿司皿１には、一定の割合（例えば、２０皿中１皿の割合）で"当たり"の文字が表示されていて、当たり皿を選んだ客は、その皿の料金が無料になるという特典を受けることとなる。この"当たり"の文字は、容易に視認されないような箇所（例えば、寿司３が載置されていて隠れる部分）に表示される。このような寿司皿により、回転寿司店の来店客は"くじ"を楽しめることとなる。【選択図】図３
2008048769.tif 000002
【特許請求の範囲】
【請求項１】
回転寿司店の寿司搬送コンベヤに載置される寿司皿において、
くじの当選についての情報を表示する表示部、
を備えたことを特徴とする寿司皿。
【請求項２】
前記表示部は"当たり"の文字を表示する、
ことを特徴とする請求項１に記載の寿司皿。
【請求項３】
前記表示部は、寿司が載置されて隠れる部分に配置された、
ことを特徴とする請求項１又は２に記載の寿司皿。
【請求項４】
前記表示部は、下面の視認できない部分に配置された、
ことを特徴とする請求項１又は２に記載の寿司皿。
【請求項５】
客席の近傍を通るように配置された寿司搬送コンベヤと、該寿司搬送コンベヤに載置されて客席まで搬送される寿司皿と、を備えた回転寿司装置において、
前記寿司皿は、請求項１乃至４のいずれか１項に記載の寿司皿である、
ことを特徴とする回転寿司装置。
【発明の詳細な説明】
【技術分野】
【０００１】
本発明は、くじを楽しむことのできる寿司皿、及び該寿司皿を備えた回転寿司装置に関する。
【背景技術】
【０００２】
従来、回転寿司店においては、寿司搬送コンベヤに寿司皿を載置して寿司の提供が行われている（例えば、特許文献１参照。）。
【０００３】
すなわち、マグロ等の様々な寿司が載せられた寿司皿が寿司搬送コンベヤにより客席の近傍まで搬送されて来るようになっており、客は、食べたい寿司が搬送されて来た場合に、寿司皿ごと自分のテーブルに運び入れ、食費の精算は、積み重ねられた寿司皿の枚数等に従って行われるようになっている。
【特許文献１】特開２００２−１５９３９０号公報
【発明の開示】
【発明が解決しようとする課題】
【０００４】
このような回転寿司店の寿司提供システムは、客が自分の意思で寿司皿を選択できるという、他の飲食店には無い特徴を有しているが、そのような特徴を利用した何らかのサービスを来店客に提供することは、集客の観点から好ましい。
【０００５】
本発明は、寿司の提供と他のサービスとを提供できる寿司皿、及び該寿司皿を備えた回転寿司装置を提供することを目的とするものである。
【課題を解決するための手段】
【０００６】
請求項１に係る発明は、図１に例示するものであって、回転寿司店の寿司搬送コンベヤ（図２の符号１１参照）に載置される寿司皿（１）において、
くじの当選についての情報を表示する表示部（２）を備えたことを特徴とする。
【０００７】
請求項２に係る発明は、請求項１に係る発明において、前記表示部（２）は"当たり"の文字を表示することを特徴とする。
【０００８】
請求項３に係る発明は、請求項１又は２に係る発明において、前記表示部（２）は、寿司（図３の符号３参照）が載置されて隠れる部分に配置されたことを特徴とする。
【０００９】
請求項４に係る発明は、請求項１又は２に係る発明において、前記表示部（２）は、下面の視認できない部分に配置されたことを特徴とする。
【００１０】
請求項５に係る発明は、図２に例示するものであって、客席（１０）の近傍を通るように配置された寿司搬送コンベヤ（１１）と、該寿司搬送コンベヤ（１１）に載置されて客席（１０）まで搬送される寿司皿（図１の符号１参照）と、を備えた回転寿司装置（１２）において、
前記寿司皿（１）は、請求項１乃至４のいずれか１項に記載の寿司皿であることを特徴とする。
【００１１】
なお、括弧内の番号などは、図面における対応する要素を示す便宜的なものであり、従って、本記述は図面上の記載に限定拘束されるものではない。
【発明の効果】
【００１２】
請求項１乃至５に係る発明によれば、回転寿司店において寿司皿を利用したくじを実施することができる。
【発明を実施するための最良の形態】
【００１３】
以下、図１乃至図３に沿って、本発明を実施するための最良の形態について説明する。ここで、図１は、本発明に係る寿司皿の外観の一例を示す平面図であり、図２は、本発明に係る回転寿司装置の全体構成の一例を示す平面図であり、図３は、本発明に係る寿司皿の使用状態の一例を示す斜視図である。
【００１４】
本発明に係る回転寿司装置は、図２に符号１２で例示するものであって、寿司皿（図３の符号１参照）と、客席１０の近傍を通るように配置された寿司搬送コンベヤ（回転寿司レーン）１１と、により構成される。また、本発明に係る寿司皿は、前記寿司搬送コンベヤ１１に載置されて使用されるものであって、寿司（図３の符号３参照）や、寿司以外の食べ物やドリンクを客席１０まで搬送するものである。
【００１５】
また、本発明に係る寿司皿は、くじを楽しめるようにもなっている。具体的には、一定の割合（例えば、２０〜３０皿中の１皿の割合）で当たりの皿を寿司搬送コンベヤ１１に載置するようにしておいて、該皿を選んだ客に一定の特典を与えるようにすると良い。ここで、"一定の特典"としては、
「当たりの皿の料金を無料にする」
というものが考えられるが、本発明の権利範囲は狭く解釈されるものではない。例えば、
・  当たりの皿の料金を１００円引きとか１５０円引きとかにしても良く、
・  賞品を用意しておいて、当たりの皿を引き当てた客に該賞品を提供するようにしても、
いずれでも良い。また、通常  一般的に行われているような他の公知の特典を提供するようにしても良い。
【００１６】
ところで、本発明に係る寿司皿をくじの用途に使用するためには、くじの当選についての情報を表示する表示部（図１の符号２参照）を寿司皿１に設けておく必要がある。図１に示す例では、"くじの当選についての情報"として"当たり"の文字が表示されているが、本発明の権利範囲は狭く解釈されるものではない。例えば、回転寿司店の名前や、特定の図形（マーク）を表示するようにしておいて、それらの皿を引き当てた客に一定の特典を与えるようにしても良い。また、"１００円引き""１５０円引き"の文字を表示しておいて値引きの特典を与えるようにしても良く、"１等""２等"のような文字を表示しておいて賞品をプレゼントするようにしても良い。
【００１７】
一方、回転寿司店の客は、自分が食べたい寿司が寿司搬送コンベヤ１１で目の前に運ばれてきた時点で、その寿司を寿司皿１ごとコンベヤ１１から取ることとなるが、前記表示部２（つまり、くじの当選についての情報を表示する表示部）は、寿司皿１がコンベヤ１１に載置されている状態においては容易に視認されるものであってはならず、寿司皿１がコンベヤ１１から完全に取り出された状態で、初めて視認されるものでなければならない。そこで、客がくじの当たり外れを  事前に知ることができないように、前記表示部２を配置（或いは、該表示部２の構成を工夫）する必要がある。そのための方法としては、寿司皿の上面中央部に表示部２を配置すると共に、該表示部２が隠れるように寿司のネタを載置する方法が挙げられる。また、該表示部２の上に覗き込み防止用の特殊なシート（例えば、携帯電話のディスプレイ部に貼付されるような"視野角制御フィルタシート"と同様の機能を有するものであって、客席からの覗き込みを防止できるようにしたもの）を配置するようにしても良い。さらに、寿司皿に細かな模様を描いておいて、表示部の文字（例えば、"当たり"の文字）と皿に描かれた模様との判別が難しいようにしておいても良い。また、この表示部を寿司皿の下面の視認できない部分（例えば、糸底（皿の裏面中央部に円筒状に突出した部分）の内側）に設け、寿司皿がコンベヤに載置されている状態で視認されないようにしても良い。
【００１８】
なお、表示部に表示する文字や図形は、エッチング加工により形成しても、シール貼付により形成しても、塗料で描いて焼き付けするようにしても、いずれでも良い。
【図面の簡単な説明】
【００１９】
【図１】図１は、本発明に係る寿司皿の外観の一例を示す平面図である。
【図２】図２は、本発明に係る回転寿司装置の全体構成の一例を示す平面図である。
【図３】図３は、本発明に係る寿司皿の使用状態の一例を示す斜視図である。
【符号の説明】
【００２０】
１        寿司皿
２        表示部（"当たり"の文字）
３        寿司
１０      客席
１１      寿司搬送コンベヤ
１２      回転寿司装置
【図１】
2008048769.tif 000003
【図２】
2008048769.tif 000004
【図３】
2008048769.tif 000005